(57)【要約】【課題】機器ケースに交換可能に装着される化粧パネルを有する電子機器において、装着解除装置により、所望する際いつでも化粧パネルを取り外すことを可能にする。【解決手段】電子部品を内蔵する機器ケース（例えば、上筐体１０１，２０１、機器ケース３０１ａ）に交換可能に装着される化粧パネル（例えば、化粧パネル１，５、ベゼル３０３）を有する電子機器（例えば、電子辞書１００、携帯電話機２００、腕時計３００）において、化粧パネルを機器ケースから取り外すために、機器ケースと化粧パネルとの装着を解除する装着解除装置（例えば、装着解除装置１０等）を電子機器に装備する構成にした。その装着解除装置は、ストラップ（３）を介して電子機器に装備したり、電子機器に装備されている付属部材（例えば、タッチペン５０等）に備えることにより、常に電子機器に備えるようにした。【選択図】    図１
2004362508.tif 000002
【特許請求の範囲】
【請求項１】
電子部品を内蔵する機器ケースに交換可能に装着される化粧パネルを有する電子機器に用いられる装着解除装置であって、
前記化粧パネルを前記機器ケースから取り外すために、前記機器ケースと前記化粧パネルとの装着を解除する装着解除手段を備えることを特徴とする装着解除装置。
【請求項２】
前記装着解除手段は、突起部を有し、
前記突起部が、前記電子機器における所定の個所に、所定の外力を作用させることにより、前記機器ケースと前記化粧パネルとの装着を解除することを特徴とする請求項１に記載の装着解除装置。
【請求項３】
前記突起部を出入可能に収容する収容部を備えることを特徴とする請求項２に記載の装着解除装置。
【請求項４】
前記収容部は、
前記突起部が配設される突起部保持部材と、
前記突起部保持部材との間に前記突起部を収容するとともに、前記突起部に対応する位置に前記突起部が出入する出入孔を有するカバー部材と、
前記突起部保持部材と前記カバー部材との間に配置され、前記突起部保持部材に一端部が当接し、前記カバー部材に他端部が当接する弾性部材と、
を備え、
前記弾性部材が伸長する反発力に基づき、前記突起部保持部材と前記カバー部材の出入孔とが離間されることにより、前記突起部が前記出入孔から前記カバー部材の内部に収容されることを特徴とする請求項３に記載の装着解除装置。
【請求項５】
前記収容部は、
前記突起部が配設される突起部保持部材と、
前記突起部保持部材との間に前記突起部を収容するとともに、前記突起部に対応する位置に前記突起部が出入する出入孔を有するカバー部材と、
前記突起部保持部材に配設される第１の磁石と、
前記第１の磁石に対し同じ極を対向させるように前記カバー部材に配設される第２の磁石と、
を備え、
前記第１の磁石と前記第２の磁石とが反発する反発力に基づき、前記突起部保持部材と前記カバー部材の出入孔とが離間されることにより、前記突起部が前記出入孔から前記カバー部材の内部に収容されることを特徴とする請求項３に記載の装着解除装置。
【請求項６】
前記収容部は、
前記突起部が配設される、所定の形状の弾性体からなる突起部保持部材と、
前記突起部保持部材との間に前記突起部を収容するとともに、前記突起部に対応する位置に前記突起部が出入する出入孔を有するカバー部材と、
を備え、
前記突起部保持部材が所定の形状から弾性変形することに基づき、前記突起部が前記出入孔から前記カバー部材の外部に突出することを特徴とする請求項３に記載の装着解除装置。
【請求項７】
前記装着解除装置は、ストラップを介して前記電子機器に備えられることを特徴とする請求項１〜６の何れか一項に記載の装着解除装置。
【請求項８】
前記装着解除装置は、前記電子機器に装備されている付属部材に配設されることにより、前記電子機器に備えられることを特徴とする請求項１〜６の何れか一項に記載の装着解除装置。
【請求項９】
前記付属部材は、前記電子機器を操作するタッチペンであることを特徴とする請求項８に記載の装着解除装置。
【請求項１０】
前記付属部材は、前記電子機器のアンテナであることを特徴とする請求項８に記載の装着解除装置。
【請求項１１】
前記付属部材は、前記電子機器のバッテリーカバーであることを特徴とする請求項８に記載の装着解除装置。
【請求項１２】
前記付属部材は、前記電子機器を所定の位置に取り付けるためのベルトであることを特徴とする請求項８に記載の装着解除装置。
【請求項１３】
電子部品を内蔵する機器ケースに交換可能に装着される化粧パネルを有する電子機器において、
前記化粧パネルを前記機器ケースから取り外すために、前記機器ケースと前記化粧パネルとの装着を解除する装着解除手段を備えることを特徴とする電子機器。
【発明の詳細な説明】
【０００１】
【発明の属する技術分野】
本発明は、電子機器における機器ケースに交換可能に装着される化粧パネルの装着を解除する装着解除装置及びその電子機器に関する。
【０００２】
【従来の技術】
従来より、電子機器において、電子部品が装着されたプリント基板をケース本体とケースカバーとからなる機器ケースの内部に収容する際、ケース本体の係止爪をケースカバーの係止穴に係合させることにより、ケース本体とケースカバーとを着設し、その機器ケースを組み立てるものが知られている（例えば、特許文献１参照。）。
また、近時、電子機器の機器ケースの表面に化粧パネルを着脱自在に備え、その化粧パネルの交換を行うことにより、その電子機器の外装デザインを変化させることができる、趣向性に富んだ電子機器が知られている。
【０００３】
【特許文献１】
特開平８−４６３８４号公報
【０００４】
【発明が解決しようとする課題】
しかしながら、上記特許文献１の場合、着設したケース本体とケースカバーとを分離する際には、ケース本体とケースカバーとの隙間に突起物を挿入し、こじ開けるように外力を作用させて係止爪と係止穴の係合を解除し、ケース本体からケースカバーを取り外すこととなる。そのため、突起物や突起を有する工具などが手元にないような場合は、その取り外しが行いにくく、場合によっては取り外すことができないという問題があった。
また、電子機器の機器ケースに装着された化粧パネルを取り外す際も同様に、突起物や突起を有する工具などが手元にないような場合は、化粧パネルを取り外せず、所望する化粧パネルに交換することができないという問題があった。
【０００５】
本発明の課題は、機器ケースに交換可能に装着される化粧パネルを有する電子機器において、所望する際いつでも化粧パネルを取り外すために備えられる装着解除装置及びその装着解除装置を備える電子機器を提供することである。
【０００６】
【課題を解決するための手段】
以上の課題を解決するため、請求項１記載の発明は、例えば、図１から図１４に示すように、
電子部品を内蔵する機器ケース（例えば、上筐体１０１，２０１、機器ケース３０１ａ）に交換可能に装着される化粧パネル（例えば、化粧パネル１，５、ベゼル３０３）を有する電子機器（例えば、電子辞書１００、携帯電話機２００，２１０，２２０、腕時計３００）に用いられる装着解除装置（例えば、装着解除装置１０，２０，３０，４０，８０等）であって、
前記化粧パネルを前記機器ケースから取り外すために、前記機器ケースと前記化粧パネルとの装着を解除する装着解除手段（例えば、突起部１１、１１１、１１１１等）を備えることを特徴とする。
【０００７】
請求項１記載の発明によれば、電子機器における機器ケースに交換可能に装着される化粧パネルをその機器ケースから取り外すために、機器ケースと化粧パネルとの装着を解除する装着解除手段を有しているので、所望する際に、電子機器の化粧パネルを取り外し、色やデザインなどが異なる他の化粧パネルに付け替えることができる。
【０００８】
請求項２記載の発明は、請求項１に記載の装着解除装置において、
前記装着解除手段は、突起部（例えば、突起部１１，１１１，１１１１，６６ａ，７７，８１、ベルト金具９）を有し、
前記突起部が、前記電子機器における所定の個所に、所定の外力を作用させることにより、前記機器ケースと前記化粧パネルとの装着を解除することを特徴とする。
【０００９】
請求項２記載の発明によれば、請求項１に記載の発明と同様の作用を奏するとともに、装着解除手段が有する突起部を用いて、電子機器における所定の個所に、所定の外力を作用させることにより、機器ケースと化粧パネルとの装着を解除することができるので、容易に機器ケースから化粧パネルを取り外すことができ、容易に化粧パネルの付け替えを行うことができる。
【００１０】
請求項３記載の発明は、請求項２に記載の装着解除装置において、
前記突起部を出入可能に収容する収容部（例えば、収容部１２，２２，３２，４２、収容凹部２０２ｃ，８ａ）を備えることを特徴とする。
【００１１】
請求項３記載の発明によれば、請求項２に記載の発明と同様の作用を奏するとともに、突起部を出入可能に収容する収容部を備えているので、装着解除装置を使用しないときには、突起部を収容部に収容することができる。
よって、装着解除装置の未使用時に、突起部が不用意にその周囲の物品や人体などを突くようなことがなく、突起部を安全に保管することができる。
【００１２】
請求項４記載の発明は、請求項３に記載の装着解除装置において、
前記収容部は、
前記突起部が配設される突起部保持部材（例えば、突起部保持部材１２１）と、
前記突起部保持部材との間に前記突起部を収容するとともに、前記突起部に対応する位置に前記突起部が出入する出入孔（例えば、出入孔１２ａ）を有するカバー部材（例えば、カバー部材１２２）と、
前記突起部保持部材と前記カバー部材との間に配置され、前記突起部保持部材に一端部（例えば、一端部１２３ａ）が当接し、前記カバー部材に他端部（例えば、他端部１２３ｂ）が当接する弾性部材（例えば、コイルばね１２３）と、
を備え、
前記弾性部材が伸長する反発力に基づき、前記突起部保持部材と前記カバー部材の出入孔とが離間されることにより、前記突起部が前記出入孔から前記カバー部材の内部に収容されることを特徴とする。
【００１３】
請求項４記載の発明によれば、請求項３に記載の発明と同様の作用を奏するとともに、装着解除装置において、突起部保持部材に配設される突起部を、その突起部が出入する出入孔を有するカバー部材が、突起部保持部材との間に弾性部材を介して収容しているので、その弾性部材が伸長する反発力に基づき、突起部保持部材とカバー部材の出入孔とが離間されることにより、突起部は出入孔からカバー部材の内部に収容される。よって、装着解除装置の未使用時に、突起部は収容部に収容される。
そして、装着解除装置を使用する際には、弾性部材を縮めるように、突起部保持部材をカバー部材の出入孔に近接させることにより、突起部を出入孔から突出させることができるので、突起部を利用して機器ケースと化粧パネルとの装着を解除することができる。
【００１４】
請求項５記載の発明は、請求項３に記載の装着解除装置において、
前記収容部は、
前記突起部が配設される突起部保持部材（例えば、突起部保持部材１２１）と、
前記突起部保持部材との間に前記突起部を収容するとともに、前記突起部に対応する位置に前記突起部が出入する出入孔（例えば、出入孔１２ａ）を有するカバー部材（例えば、カバー部材１２２）と、
前記突起部保持部材に配設される第１の磁石（例えば、第１の磁石１３１）と、
前記第１の磁石に対し同じ極を対向させるように前記カバー部材に配設される第２の磁石（例えば、第２の磁石１３２）と、
を備え、
前記第１の磁石と前記第２の磁石とが反発する反発力に基づき、前記突起部保持部材と前記カバー部材の出入孔とが離間されることにより、前記突起部が前記出入孔から前記カバー部材の内部に収容されることを特徴とする。
【００１５】
請求項５記載の発明によれば、請求項３に記載の発明と同様の作用を奏するとともに、装着解除装置において、第１の磁石とともに突起部保持部材に配設される突起部を、その突起部が出入する出入孔を有するとともに第１の磁石に対し同じ極を対向させるよう配設された第２の磁石を有するカバー部材が収容しているので、その第１の磁石と第２の磁石とが磁力により反発する反発力に基づき、突起部保持部材とカバー部材の出入孔とが離間されることにより、突起部は出入孔からカバー部材の内部に収容される。よって、装着解除装置の未使用時に、突起部は収容部に収容される。
そして、装着解除装置を使用する際には、第１の磁石と第２の磁石の磁力による反発力に逆らうように、突起部保持部材をカバー部材の出入孔に近接させることにより、突起部を出入孔から突出させることができるので、突起部を利用して機器ケースと化粧パネルとの装着を解除することができる。
【００１６】
請求項６記載の発明は、請求項３に記載の装着解除装置において、
前記収容部は、
前記突起部が配設される、所定の形状の弾性体からなる突起部保持部材（例えば、半球状部材３２１）と、
前記突起部保持部材との間に前記突起部を収容するとともに、前記突起部に対応する位置に前記突起部が出入する出入孔（例えば、出入孔３２ａ）を有するカバー部材（例えば、カバー部材３２２）と、
を備え、
前記突起部保持部材が所定の形状から弾性変形することに基づき、前記突起部が前記出入孔から前記カバー部材の外部に突出することを特徴とする。
【００１７】
請求項６記載の発明によれば、請求項３に記載の発明と同様の作用を奏するとともに、装着解除装置において、所定の形状の弾性体からなる突起部保持部材に配設される突起部を、その突起部が出入する出入孔を有するカバー部材が収容しているので、その突起部保持部材を所定の形状から弾性変形することにより、突起部を出入孔からカバー部材の外部に突出させることができる。よって、突起部を利用して機器ケースと化粧パネルとの装着を解除することができる。
また、突起部保持部材を弾性変形させる作用力がなくなると、その突起部保持部材は所定の形状に戻るので、突起部は出入孔からカバー部材に収容されることとなって、装着解除装置の未使用時に、突起部は収容部に収容される。
【００１８】
請求項７記載の発明は、請求項１〜６の何れか一項に記載の装着解除装置において、
前記装着解除装置は、ストラップ（例えば、ストラップ３）を介して前記電子機器に備えられていることを特徴とする。
【００１９】
請求項７記載の発明によれば、請求項１〜６の何れか一項に記載の発明と同様の作用を奏するとともに、装着解除装置は、ストラップを介して電子機器に備えられているので、装着解除装置は電子機器から離れにくく、別個になりにくい。従って、装着解除装置を紛失する心配がなくなる。
このように、装着解除装置を電子機器に装備することにより、所望する際に化粧パネルを取り外して付け替えることができ、化粧パネルの交換を行いやすくなる。
【００２０】
請求項８記載の発明は、請求項１〜６の何れか一項に記載の装着解除装置において、
前記装着解除装置は、前記電子機器に装備されている付属部材（例えば、タッチペン５０、アンテナ６、バッテリーカバー７，８、ベルト３０２）に配設されることにより、前記電子機器に備えられていることを特徴とする。
【００２１】
請求項８記載の発明によれば、請求項１〜６の何れか一項に記載の発明と同様の作用を奏するとともに、装着解除装置は、電子機器に装備されている付属部材に配設されて、電子機器に備えられているので、装着解除装置は電子機器から離れにくく、別個になりにくい。従って、装着解除装置を紛失する心配がなくなる。
このように、装着解除装置を電子機器に装備される付属部材に備えることにより、所望する際に化粧パネルを取り外して付け替えることができ、化粧パネルの交換を行いやすくなる。
【００２２】
請求項９記載の発明は、請求項８に記載の装着解除装置において、
前記付属部材は、前記電子機器を操作するタッチペン（例えば、タッチペン５０）であることを特徴とする。
【００２３】
請求項９記載の発明によれば、請求項８に記載の発明と同様の作用を奏するとともに、装着解除装置は、電子機器を操作するタッチペンに配設されているので、装着解除装置が電子機器に装備される。
【００２４】
請求項１０記載の発明は、請求項８に記載の装着解除装置において、
前記付属部材は、前記電子機器のアンテナ（例えば、アンテナ６）であることを特徴とする。
【００２５】
請求項１０記載の発明によれば、請求項８に記載の発明と同様の作用を奏するとともに、装着解除装置は、電子機器のアンテナに配設されているので、装着解除装置が電子機器に装備される。
【００２６】
請求項１１記載の発明は、請求項８に記載の装着解除装置において、
前記付属部材は、前記電子機器のバッテリーカバー（例えば、バッテリーカバー７，８）であることを特徴とする。
【００２７】
請求項１１記載の発明によれば、請求項８に記載の発明と同様の作用を奏するとともに、装着解除装置は、電子機器のバッテリーカバーに配設されているので、装着解除装置が電子機器に装備される。
【００２８】
請求項１２記載の発明は、請求項８に記載の装着解除装置において、
前記付属部材は、前記電子機器を所定の位置に取り付けるためのベルト（例えば、ベルト３０２）であることを特徴とする。
【００２９】
請求項１２記載の発明によれば、請求項８に記載の発明と同様の作用を奏するとともに、装着解除装置は、電子機器を所定の位置に取り付けるためのベルトに配設されているので、装着解除装置が電子機器に装備される。
【００３０】
請求項１３記載の発明は、電子部品を内蔵する機器ケース（例えば、上筐体１０１，２０１、機器ケース３０１ａ）に交換可能に装着される化粧パネル（例えば、化粧パネル１，５、ベゼル３０３）を有する電子機器（例えば、電子辞書１００、携帯電話機２００，２１０，２２０、腕時計３００）において、前記化粧パネルを前記機器ケースから取り外すために、前記機器ケースと前記化粧パネルとの装着を解除する装着解除手段（例えば、突起部１１、装着解除装置１０、等）を備えることを特徴とする。
【００３１】
請求項１３記載の発明によれば、電子機器は、機器ケースに交換可能に装着される化粧パネルをその機器ケースから取り外すために、機器ケースと化粧パネルとの装着を解除する装着解除手段を備えているので、所望する際に、電子機器の化粧パネルを取り外し、色やデザインなどが異なる他の化粧パネルに付け替えることができる。
【００３２】
【発明の実施の形態】
以下、本発明の実施の形態を図１から図１４に基づいて説明する。
〔第１の実施の形態〕
図１は、本発明にかかる電子機器としての電子辞書を示す正面図である。図２は、その電子辞書を示す背面図であり、図３は、その電子辞書を示す側面図である。
【００３３】
図１から図３に示されるように、電子辞書１００は、例えば、折り畳み式のものであり、表示画面を備えた機器ケースとしての上筐体１０１と、操作ボタンを備えた下筐体１０２とがヒンジ１０３を介して連結されて構成されている。なお、図１から図３において、電子辞書１００は折り畳まれた状態を示しているため、上筐体１０１に備えられた表示画面と、下筐体１０２に備えられた操作ボタンとは、折り畳まれたその内側に位置するので、図示はされていない。また、上筐体１０１と下筐体１０２の内部には、基板（図示省略）に搭載されて接続された、電子辞書を構成する様々な電子部品（図示省略）が内蔵されている。
【００３４】
上筐体１０１には、化粧パネル１が着設されており、図４に示されるように、化粧パネル１は上筐体１０１に着脱可能に装着されている。
化粧パネル１の左右の側面にはそれぞれ上筐体１０１から化粧パネル１を取り外す際に、突起物を挿入するためのパネル穴２ａが形成された係合部２が設けられている。
また、図４に示されるように、上筐体１０１における、パネル穴２ａに対応する位置には出没自在の係合凸部１０１ａが設けられている。
係合凸部１０１ａは、ばねやゴムなどの弾性部材による弾性力に基づき、上筐体１０１の内側から外側に向けて弾性的に突出するものであり、この係合凸部１０１ａが化粧パネル１の係合部２の内側に弾接し係合することにより、上筐体１０１に化粧パネル１が位置合わせされるとともに、着設されて装着されるようになっている。そして、この係合凸部１０１ａを上筐体１０１に没入させることにより、化粧パネル１を取り外すことができる。
このように化粧パネル１は、上筐体１０１に着脱可能に装着されているので、色やデザインなどが異なる他の化粧パネル１に付け替えることができる。つまり、化粧パネル１は上筐体１０１に交換可能に装着されている。
【００３５】
下筐体１０２には、所定のストラップ取り付け部に取り付けられたストラップ３を巻き取り、ストラップ３を下筐体１０２の内部に収納する巻取収納機構部１０２ａが設けられている。
下筐体１０２に取り付けられて備えられたストラップ３には、上筐体１０１から化粧パネル１を取り外すための装着解除装置１０が備えられている。つまり、装着解除装置１０はストラップ３を介して電子辞書１００に備えられている。
ストラップ３は、ストラップ３に備えられる装着解除装置１０が、化粧パネル１の係合部２に届くための十分な長さを有している。
【００３６】
装着解除装置１０は、図５、図６に示されるように、化粧パネル１の係合部２のパネル穴２ａに挿入させる装着解除手段としての突起部１１と、突起部１１を出入可能に内部に収容する収容部１２とにより構成されている。
【００３７】
突起部１１は、上筐体１０１から化粧パネル１を取り外す際にパネル穴２ａに挿入させる突起物であり、突起部１１の先端部１１ａの外径は、パネル穴２ａに挿入可能なように、パネル穴２ａの内径に対応した大きさに形成されている。
【００３８】
収容部１２は、突起部１１が配設される突起部保持部材１２１と、突起部保持部材１２１とともに突起部１１を内部に収容するカバー部材１２２と、突起部保持部材１２１とカバー部材１２２との間に配置される弾性部材としてのコイルばね１２３とにより構成されている。
【００３９】
突起部保持部材１２１は、板状の部材であり、突起部保持部材１２１の略中央に突起部１１が配設されている。なお、突起部１１と突起部保持部材１２１とは一体成形されていてもよい。
カバー部材１２２は、略円筒形状を有しておりその底面の突起部１１に対応する位置に出入孔１２ａが形成されている。
突起部保持部材１２１の外周部１２１ａは、カバー部材１２２の内壁に接しており、カバー部材１２２には、内壁の上端から内側に突出して枠状部１２２ａが設けられ、この枠状部１２２ａに突起部保持部材１２１が係止されることにより、突起部保持部材１２１がカバー部材１２２から外れないようになっている。
【００４０】
コイルばね１２３は、突起部１１の周囲を覆うように配置されており、コイルばね１２３の一端部１２３ａは突起部保持部材１２１に、他端部１２３ｂはカバー部材１２２に当接している。
図６（ａ）に示されるように、コイルばね１２３が伸長した状態において、コイルばね１２３が伸長する際の反発力によって、突起部保持部材１２１とカバー部材１２２の出入孔１２ａとが離間される。このことにより、突起部１１は出入孔１２ａに没入して収容部１２の内部に収容される。この際、突起部保持部材１２１の外周部１２１ａは、カバー部材１２２の枠状部１２２ａに係止されている。
また、図６（ｂ）に示されるように、突起部保持部材１２１をカバー部材１２２の出入孔１２ａ側に押圧し、コイルばね１２３を縮ませることにより、出入孔１２ａから突起部１１の先端部１１ａが突出する。
【００４１】
このような電子辞書１００において、化粧パネル１の係合部２のパネル穴２ａに、装着解除装置１０の突起部１１の先端部１１ａを挿入し、突起部１１（先端部１１ａ）が上筐体１０１の係合凸部１０１ａに外力を作用させることにより、係合凸部１０１ａをへこませ、上筐体１０１に没入させることにより、この係合凸部１０１ａの係合部２に対する弾接が解かれ、係合凸部１０１ａと係合部２との係合が解除される。そして、上筐体１０１に対する化粧パネル１の装着が解除されて、上筐体１０１から化粧パネル１を取り外すことができるようになる。
【００４２】
このように、電子辞書１００は、上筐体１０１と化粧パネル１との装着を解除するために、パネル穴２ａに挿入する突起部１１を有する装着解除装置１０を備えているので、所望する際に化粧パネル１の係合部２のパネル穴２ａに、装着解除装置１０の突起部１１（先端部１１ａ）を挿入し、上筐体１０１と化粧パネル１との装着を解除し、上筐体１０１から化粧パネル１を取り外すことができる。そして、所望する化粧パネル１を取り付けて、化粧パネルの着せ替えを行うように、化粧パネルの交換を行うことができる。
従って、その電子辞書１００を、所望する際にいつでも化粧パネル１を着せ替えるように交換することができる趣向性に富んだ電子辞書１００とすることができる。
【００４３】
特に、装着解除装置１０の突起部１１を所定の係合部２のパネル穴２ａに挿入し、上筐体１０１と化粧パネル１との装着を解除し、上筐体１０１から化粧パネル１を取り外す構成であるので、化粧パネル１が、強度の高い、厚い部材により形成され、その化粧パネル１を撓ませるなど弾性変形させにくい場合であっても、化粧パネル１を機器ケースから取り外すことができるので、容易に化粧パネルの交換を行うことができる。
【００４４】
この装着解除装置１０は、ストラップ３を介して電子辞書１００に備えられているので、装着解除装置１０が電子辞書１００から離れにくく、別個になりにくい。つまり、装着解除装置１０は、常に電子辞書１００に装備されることとなり、装着解除装置１０は電子辞書１００と一体に携帯されて取り扱われるようになるので、所望する際に化粧パネル１を取り外して付け替える、化粧パネル１の交換を行うことができる。
【００４５】
また、装着解除装置１０において、装着解除装置１０を使用しない未使用時には、突起部１１が収容部１２に収容されているので、突起部１１が不用意にその周囲の物品や人体などを突くようなことはない。つまり、装着解除装置１０は、尖った突起部１１を露出しないように収容部１２に収容し、安全に保管することができる。
【００４６】
〔第１の変形例〕
次に、本発明にかかる第１の実施の形態における電子辞書の装着解除装置の第１の変形例を、図７に基づき説明する。なお、第１の実施の形態と同一部分には同一符号を付し、異なる部分についてのみ説明する。
【００４７】
装着解除装置２０は、図７に示されるように、化粧パネル１の係合部２のパネル穴２ａに挿入させる突起部１１と、突起部１１を出入可能に内部に収容する収容部２２とにより構成されている。
【００４８】
収容部２２は、突起部１１が配設される突起部保持部材１２１と、突起部保持部材１２１とともに突起部１１を内部に収容するカバー部材１２２と、突起部保持部材１２１に配設される第１の磁石１３１と、カバー部材１２２に配設される第２の磁石１３２とにより構成されている。
【００４９】
第１の磁石１３１と第２の磁石１３２とは、略中央部にそれぞれ開口部１３１ａ、１３２ａが形成された磁石であり、第１の磁石１３１はその開口部１３１ａに突起部１１が通されて突起部保持部材１２１の内面に配設されている。また、第２の磁石１３２はその開口部１３２ａに出入孔１２ａを対応させてカバー部材１２２の内面に配設されている。
また、第２の磁石１３２は、突起部保持部材１２１に配設される第１の磁石１３１に対し、同じ極を対向させるようにカバー部材１２２に配設されている。
つまり、第１の磁石１３１と、第２の磁石１３２とは、対向する面側にそれぞれ同じ極（Ｎ極とＮ極、あるいはＳ極とＳ極）が配置されるように配設されている。
【００５０】
図７（ａ）に示されるように、装着解除装置２０が静置された状態において、第１の磁石１３１と第２の磁石１３２とがその互いの磁力で反発し合う反発力によって、突起部保持部材１２１とカバー部材１２２の出入孔１２ａとが離間されることにより、突起部１１が出入孔１２ａに没入するように、突起部１１はカバー部材１２２（収容部２２）の内部に収容される。この際、突起部保持部材１２１の外周部１２１ａは、カバー部材１２２の枠状部１２２ａに係止されている。
また、図７（ｂ）に示されるように、第１の磁石１３１と第２の磁石１３２との反発力に抵抗するように、突起部保持部材１２１をカバー部材１２２の出入孔１２ａ側に押圧することにより、出入孔１２ａから突起部１１の先端部１１ａが突出する。
【００５１】
このように磁石（第１の磁石１３１、第２の磁石１３２）を用いた構成の装着解除装置２０であっても、第１の実施の形態と同様に、装着解除装置２０を常に電子辞書１００に装備することができ、電子辞書１００において、上筐体１０１と化粧パネル１との装着を解除し、上筐体１０１から化粧パネル１を取り外すことができる。そして、所望する化粧パネル１を取り付けて、化粧パネルの着せ替えを行うように、化粧パネルの交換を行うことができる。
【００５２】
〔第２の変形例〕
次に、本発明にかかる第１の実施の形態における電子辞書の装着解除装置の第２の変形例を、図８、図９に基づき説明する。なお、第１の実施の形態と同一部分には同一符号を付し、異なる部分についてのみ説明する。
【００５３】
装着解除装置３０は、図８、図９に示されるように、化粧パネル１の係合部２のパネル穴２ａに挿入させる装着解除手段としての突起部１１１と、突起部１１１を出入可能に内部に収容する収容部３２とにより構成されている。
【００５４】
突起部１１１は、上筐体１０１から化粧パネル１を取り外す際にパネル穴２ａに挿入させる突起物であり、突起部１１１の先端部１１１ａの外径は、パネル穴２ａに挿入可能なように、パネル穴２ａの内径に対応した大きさに形成されている。
【００５５】
収容部３２は、突起部１１１が配設される突起部保持部材としての半球状部材３２１と、半球状部材３２１に接合するとともに、突起部１１１の先端部１１１ａを覆うカバー部材３２２とにより構成されている。
【００５６】
半球状部材３２１は、ゴムや合成樹脂などの弾性体からなる半球形状の部材であり、半球状部材３２１の内面の略中央に突起部１１１が配設されている。
カバー部材３２２は、合成樹脂などにより形成されており、ストラップ３はカバー部材３２２と一体成型されている。また、カバー部材３２２には、突起部１１１に対応する位置に出入孔３２ａが形成されている。
半球状部材３２１の外周部には嵌合凸部３２１ａが形成されており、カバー部材３２２には嵌合溝３２２ａが形成されている。そして、嵌合溝３２２ａに嵌合凸部３２１ａを嵌合させることにより、半球状部材３２１とカバー部材３２２とが接合し、収容部３２を構成する。
【００５７】
図９（ａ）に示されるように、装着解除装置３０が静置された状態において、半球状部材３２１は、半球状部材３２１の所定の形状である半球形状を維持する。つまり、半球状部材３２１を押圧し変形させた後、その押圧力の作用がなくなると、半球状部材３２１は、その弾性力により、所定の形状である半球形状に戻る。このように、半球状部材３２１が所定の形状である半球形状を維持する状態において、半球状部材３２１に配設された突起部１１１が出入孔３２ａに没入するように、突起部１１１は収容部３２の内部に収容される。
また、図９（ｂ）に示されるように、半球状部材３２１をくぼませるように押圧して弾性変形させることにより、出入孔３２ａから外部に突起部１１１の先端部１１１ａが突出する。
【００５８】
このように弾性変形する突起部保持部材としての半球状部材３２１を用いた構成の装着解除装置３０であっても、第１の実施の形態と同様に、装着解除装置３０を常に電子辞書１００に装備することができ、電子辞書１００において、上筐体１０１と化粧パネル１との装着を解除し、上筐体１０１から化粧パネル１を取り外すことができる。そして、所望する化粧パネル１を取り付けて、化粧パネルの着せ替えを行うように、化粧パネルの交換を行うことができる。
特に、装着解除装置３０は、装着解除装置３０（カバー部材３２２）とストラップ３を一体成形するので、部品点数の削減と、製造コストの削減を行うことができる。
【００５９】
〔第３の変形例〕
次に、本発明にかかる第１の実施の形態における電子辞書の装着解除装置の第３の変形例を、図１０に基づき説明する。なお、第１の実施の形態と同一部分には同一符号を付し、異なる部分についてのみ説明する。
【００６０】
電子辞書１００がその表示画面にタッチパネルを備え、タッチパネルを介して操作入力を行う入力方式をとる場合、電子辞書１００には付属部材としてタッチペン５０が装備されるので、そのタッチペン５０に装着解除装置４０を備えるようにしてもよい。
図１０に示されるように、電子辞書１００に装備されるタッチペン５０は、タッチパネルにおける指示位置をタッチし、操作入力を行うための先端部５０ａを有し、また、タッチペン５０の後端側に装着解除装置４０を備えている。
【００６１】
装着解除装置４０は、化粧パネル１の係合部２のパネル穴２ａに挿入させる装着解除手段としての突起部１１１１と、突起部１１１１を出入可能に内部に収容する収容部４２とにより構成されている。
突起部１１１１は、上筐体１０１から化粧パネル１を取り外す際にパネル穴２ａに挿入させる突起物であり、突起部１１１１の先端部１１１１ａの外径は、パネル穴２ａに挿入可能なように、パネル穴２ａの内径に対応した大きさに形成されている。
【００６２】
突起部１１１１は、タッチペン５０のクリップ部５１の後端板部５１ａに配設されている。なお、突起部１１１１とクリップ部５１の後端板部５１ａとは一体成形されていてもよい。
収容部４２は、タッチペン５０の本体ケースと一体に成形されている。収容部４２の突起部１１１１に対応する位置には出入孔４２ａが形成されている。
【００６３】
そして、突起部１１１１の周囲を覆うように弾性部材としてのコイルばね４４が配置されており、コイルばね４４の一端部４４ａはクリップ部５１の後端板部５１ａに、他端部４４ｂは収容部４２に当接している。
図１０（ａ）に示されるように、コイルばね４４が伸長した状態において、コイルばね４４が伸長する際の反発力によって、後端板部５１ａと収容部４２の出入孔４２ａとが離間されることにより、突起部１１１１が出入孔４２ａに没入するように、突起部１１１１は収容部４２の内部に収容される。
また、図１０（ｂ）に示されるように、クリップ部５０をタッチペン５０の後端側に移動させて、クリップ部５１の後端板部５１ａを収容部４２の出入孔４２ａ側に押圧し、コイルばね４４を縮ませることにより、出入孔４２ａから突起部１１１１の先端部１１１１ａが突出する。
【００６４】
このように、電子辞書１００に装備されるタッチペン５０に備える構成の装着解除装置４０であっても、第１の実施の形態と同様に、装着解除装置４０を常に電子辞書１００に装備することができ、電子辞書１００において、上筐体１０１と化粧パネル１との装着を解除し、上筐体１０１から化粧パネル１を取り外すことができる。そして、所望する化粧パネル１を取り付けて、化粧パネルの着せ替えを行うように、化粧パネルの交換を行うことができる。
【００６５】
なお、図１０に示される装着解除装置４０は、本発明にかかる第１の実施の形態において説明したコイルばねを用いる構成の装着解除装置１０を、タッチペン５０に備えるように変形し、適用したものである。
同様に、第１の実施の形態の第１の変形例において説明した磁石を用いる構成の装着解除装置２０や、第１の実施の形態の第２の変形例において説明した弾性体の弾性変形を利用する構成の装着解除装置３０を、タッチペン５０に備えるように変形し、適用してもよい。
【００６６】
〔第２の実施の形態〕
次に、本発明にかかる電子機器の第２の実施の形態を、図１１に基づき説明する。なお、第１の実施の形態と同一部分には同一符号を付し、異なる部分についてのみ説明する。
【００６７】
図１１に示されるように、電子機器としての携帯電話機２００は、例えば、折り畳み式の携帯電話機２００であり、表示画面を備えた機器ケースとしての上筐体２０１と、操作ボタンを備えた下筐体２０２とがヒンジ２０３を介して連結されて構成されている。なお、図１１は、携帯電話機２００の背面を示しており、上筐体２０１に備えられた表示画面と、下筐体２０２に備えられた操作ボタンは、携帯電話機２００の正面側に位置するため、図示はされていない。また、上筐体２０１と下筐体２０２の内部には、基板（図示省略）に搭載されて接続された、携帯電話機２００を構成する様々な電子部品（図示省略）が内蔵されている。
【００６８】
上筐体２０１には、化粧パネル５が備えられており、その化粧パネル５は上筐体２０１に着脱可能に装着されている。
化粧パネル５が、上筐体２０１に着脱可能に装着されていることにより、色やデザインなどが異なる他の化粧パネル５に付け替えることができる。つまり、化粧パネル５は上筐体２０１に交換可能に装着されている。
【００６９】
下筐体２０２には、図１１（ａ）に示されるように、付属部材としてのアンテナ６がアンテナ取付部２０２ａに取り付けられて備えられている。
アンテナ６は、伸縮自在に構成される図示しないアンテナ軸部と、そのアンテナ軸部に螺着されるアンテナ先端部６６とにより構成されている。
アンテナ先端部６６には、図１１（ｂ）に示されるように、突起部６６ａが設けられている。つまり、装着解除装置としてのアンテナ先端部６６に設けられた装着解除手段としての突起部６６ａは、アンテナ先端部６６がアンテナ軸部（図示省略）に螺着される際に、収容部としてのアンテナ軸部（図示省略）の内側の空間に収容されている。
【００７０】
このような携帯電話機２００において、装着解除装置としてのアンテナ先端部６６を図示しないアンテナ軸部から取り外し、アンテナ先端部６６の突起部６６ａを、所定の装着解除穴（図示省略）に挿入して、図示しない係合部に外力を作用させてその係合を解除するように上筐体２０１に対する化粧パネル５の装着を解除したり、アンテナ先端部６６の突起部６６ａを、上筐体２０１と化粧パネル５との間の装着解除溝（図示省略）に挿入するとともに化粧パネル５に外力を作用させて、化粧パネル５を上筐体２０１から引き剥がすように上筐体２０１と化粧パネル５との装着を解除したりすることにより、上筐体２０１から化粧パネル５を取り外すことができるようになる。
【００７１】
このように電子機器としての携帯電話機２００のアンテナ６に備えられる、装着解除装置としてのアンテナ先端部６６に突起部６６ａを設ける構成であっても、第１の実施の形態と同様に、装着解除装置（アンテナ先端部６６、突起部６６ａ）を常に電子機器である携帯電話機２００に装備することができ、携帯電話機２００において、上筐体２０１と化粧パネル５との装着を解除し、上筐体２０１から化粧パネル５を取り外すことができる。そして、所望する化粧パネル５を取り付けて、化粧パネルの着せ替えを行うように、化粧パネルの交換を行うことができる。
【００７２】
〔第１の変形例〕
次に、本発明にかかる第２の実施の形態における携帯電話機の第１の変形例を、図１２に基づき説明する。なお、第２の実施の形態と同一部分には同一符号を付し、異なる部分についてのみ説明する。
【００７３】
図１２に示されるように、電子機器としての携帯電話機２１０の下筐体２０２には、携帯電話機２１０を機能させるための電力を供給する図示しないバッテリーが収納されるバッテリー収納部２０２ｂの蓋である付属部材としてのバッテリーカバー７が着脱可能に備えられている。
【００７４】
図１２（ａ）、（ｂ）に示されるように、バッテリーカバー７には、装着解除手段（装着解除装置）としての突起部７７が設けられている。
この突起部７７は、図１２（ｂ）に示されるように、バッテリーカバー７が下筐体２０２に着設される際には、下筐体２０２に形成されている収容部としての収容凹部２０２ｃに収容されている。
【００７５】
このような携帯電話機２１０において、装着解除手段としての突起部７７が設けられたバッテリーカバー７を下筐体２０２から取り外し、その突起部７７を、所定の装着解除穴や所定の装着解除溝に挿入し、所定の部位に外力を作用させることによって、上筐体２０１と化粧パネル５との装着を解除することにより、上筐体２０１から化粧パネル５を取り外すことができるようになる。
【００７６】
このように電子機器としての携帯電話機２１０のバッテリーカバー７に装着解除手段としての突起部７７を設ける構成であっても、第２の実施の形態と同様に、装着解除手段（突起部７７）を常に携帯電話機２１０に装備することができ、携帯電話機２１０において、上筐体２０１と化粧パネル５との装着を解除し、上筐体２０１から化粧パネル５を取り外すことができる。そして、所望する化粧パネル５を取り付けて、化粧パネルの着せ替えを行うように、化粧パネルの交換を行うことができる。
【００７７】
〔第２の変形例〕
次に、本発明にかかる第２の実施の形態における携帯電話機の第２の変形例を、図１３に基づき説明する。なお、第２の実施の形態と同一部分には同一符号を付し、異なる部分についてのみ説明する。
【００７８】
図１３に示されるように、電子機器としての携帯電話機２２０の下筐体２０２には、携帯電話機２２０を機能させるための電力を供給する図示しないバッテリーが収納されるバッテリー収納部２０２ｂの蓋である付属部材としてのバッテリーカバー８が着脱可能に備えられている。
【００７９】
図１３（ａ）、（ｂ）に示されるように、バッテリーカバー８には、装着解除装置８０が備えられている。
装着解除装置８０は、図１３（ａ）、（ｂ）に示されるように、バッテリーカバー８に形成されている収容部としての収容凹部８ａに収容される装着解除手段としての突起部８１と、突起部８１と収容凹部８ａの内壁とを弾接する弾性部材としてのコイルばね８２とにより構成されている。
【００８０】
コイルばね８２の一端部８２ａは収容凹部８ａの内壁に当着され、他端部８２ｂは突起部８１に当着されている。
図１３（ａ）に示されるように、バッテリーカバー８が下筐体２０２に着設された状態において、突起部８１の先端部８１ａは下筐体２０２の壁面に突き当たり、コイルばね８２を縮めるように、収容凹部８ａの内部に没入するように収容される。
また、図１３（ｂ）に示されるように、バッテリーカバー８が下筐体２０２から取り外された状態において、コイルばね８２が伸長する際の反発力によって、突起部８１（の先端部８１ａ）が収容凹部８ａから突出する。
【００８１】
このような携帯電話機２２０において、装着解除装置８０が備えられたバッテリーカバー８を下筐体２０２から取り外し、装着解除装置８０の突起部８１（の先端部８１ａ）を、所定の装着解除穴や所定の装着解除溝に挿入し、所定の部位に外力を作用させることによって、上筐体２０１と化粧パネル５との装着を解除することにより、上筐体２０１から化粧パネル５を取り外すことができるようになる。
なお、コイルばね８２は、突起部８１の先端部８１ａを収容凹部８ａの内部に収容する際、縮むような弾性力を有しているが、突起部８１の先端部８１ａを所定の装着解除穴や所定の装着解除溝に挿入し、所定の部位に外力を作用させる際には縮まない程度の弾性力を有しているので、装着解除装置８０が備えられたバッテリーカバー８によって、上筐体２０１と化粧パネル５との装着を解除することができる。
【００８２】
このように電子機器としての携帯電話機２２０のバッテリーカバー８に装着解除装置８０を備える構成であっても、第２の実施の形態と同様に、装着解除装置（装着解除装置８０、突起部８１）を常に携帯電話機２２０に装備することができ、携帯電話機２２０において、上筐体２０１と化粧パネル５との装着を解除し、上筐体２０１から化粧パネル５を取り外すことができる。そして、所望する化粧パネル５を取り付けて、化粧パネルの着せ替えを行うように、化粧パネルの交換を行うことができる。
【００８３】
なお、図１３に示される装着解除装置８０の代わりに、本発明にかかる第１の実施の形態において説明したコイルばねを用いる構成の装着解除装置１０をバッテリーカバー８に備えるように変形し、適用してもよい。
同様に、第１の実施の形態の第１の変形例において説明した磁石を用いる構成の装着解除装置２０や、第１の実施の形態の第２の変形例において説明した弾性体の弾性変形を利用する構成の装着解除装置３０を、バッテリーカバー８に備えるように変形し、適用してもよい。
【００８４】
〔第３の実施の形態〕
次に、本発明にかかる電子機器の第３の実施の形態を、図１４に基づき説明する。なお、第１の実施の形態と同一部分には同一符号を付し、異なる部分についてのみ説明する。
【００８５】
図１４に示されるように、電子機器としての腕時計３００は、時刻表示機能を有する時計本体３０１と、時計本体３０１を手首に取り付けるための付属部材としてのベルト３０２とにより構成されている。
時計本体３０１は、機器ケース３０１ａに、時計を動作させる様々な電子部品や機械部品等が組み立てられてなる時計モジュール（図示省略）が内蔵されて構成されている。
【００８６】
腕時計３００の機器ケース３０１ａの表面には、図１４に示されるように、時計の文字盤の周囲を囲むように、化粧パネルとしてのベゼル３０３が着脱可能に装着されている。
ベゼル３０３が、機器ケース３０１ａに着脱可能に装着されていることにより、色やデザインなどが異なる他のベゼル３０３に付け替えることができる。つまり、ベゼル３０３は機器ケース３０１ａに交換可能に装着されている。
【００８７】
ベルト３０２には、腕時計３００を取り付ける手首の太さに応じた調節ができるように、複数（図１４においては３つ）の調節穴３０２ａ・・・が形成されており、また、その調節穴３０２ａに嵌入させるベルト金具９が備えられている。
ベルト金具９の先端部９ａは、機器ケース３０１ａに装着されたベゼル３０３を取り外す際に、機器ケース３０１ａとベゼル３０３の装着を解除するための所定の装着解除穴や装着解除溝にベルト金具９を挿入することができる形状、太さに形成されている。
つまり、ベルト３０２に備えられるベルト金具９は、機器ケース３０１ａとベゼル３０３の装着を解除する突起部であり装着解除手段（装着解除装置）としての機能を有する。
【００８８】
このような腕時計３００において、装着解除手段（突起部）としてのベルト金具９の先端部９ａを、所定の装着解除穴（図示省略）に挿入して、図示しない係合部に外力を作用させてその係合を解除するように機器ケース３０１ａとベゼル３０３との装着を解除したり、ベルト金具９の先端部９ａを、機器ケース３０１ａとベゼル３０３との間の装着解除溝（図示省略）に挿入するとともにベゼル３０３に外力を作用させて、ベゼル３０３を機器ケース３０１ａから引き剥がすように機器ケース３０１ａとベゼル３０３との装着を解除したりすることにより、機器ケース３０１ａからベゼル３０３を取り外すことができるようになる。
【００８９】
このように電子機器としての腕時計３００のベルト３０２に備えられるべルト金具９を、装着解除手段（突起部）として利用する構成であっても、第１の実施の形態と同様に、装着解除手段（突起部、ベルト金具９）を常に電子機器である腕時計３００に装備することができ、腕時計３００において、機器ケース３０１ａとベゼル３０３との装着を解除し、機器ケース３０１ａからベゼル３０３を取り外すことができる。そして、所望するベゼル３０３を取り付けて、ベゼルの着せ替えを行うように、ベゼルの交換を行うことができる。
【００９０】
なお、以上の実施の形態においては、電子機器として、電子辞書、携帯電話機、腕時計を例に説明したが、本発明はこれに限定されるものではなく、電気機器の機器ケースに交換可能に化粧パネルが配設されるものであれば、任意の機器であってよい。
また、その他、具体的な細部構造等についても適宜に変更可能であることは勿論である。
【００９１】
【発明の効果】
請求項１記載の発明によれば、電子機器における機器ケースに交換可能に装着される化粧パネルをその機器ケースから取り外すために、機器ケースと化粧パネルとの装着を解除する装着解除手段を有しているので、所望する際に、電子機器の化粧パネルを取り外し、色やデザインなどが異なる他の化粧パネルに付け替えることができる。
【００９２】
請求項２記載の発明によれば、装着解除手段が有する突起部を用いて、電子機器における所定の個所に、所定の外力を作用させることにより、機器ケースと化粧パネルとの装着を解除することができるので、容易に機器ケースから化粧パネルを取り外すことができ、容易に化粧パネルの付け替えを行うことができる。
【００９３】
請求項３記載の発明によれば、突起部を出入可能に収容する収容部を備えているので、装着解除装置を使用しないときには、突起部を収容部に収容することができる。
よって、装着解除装置の未使用時に、突起部が不用意にその周囲の物品や人体などを突くようなことがなく、突起部を安全に保管することができる。
【００９４】
請求項４記載の発明によれば、装着解除装置において、突起部保持部材に配設される突起部を、その突起部が出入する出入孔を有するカバー部材が、突起部保持部材との間に弾性部材を介して収容しているので、その弾性部材が伸長する反発力に基づき、突起部保持部材とカバー部材の出入孔とが離間されることにより、突起部は出入孔からカバー部材の内部に収容される。よって、装着解除装置の未使用時に、突起部は収容部に収容される。
そして、装着解除装置を使用する際には、弾性部材を縮めるように、突起部保持部材をカバー部材の出入孔に近接させることにより、突起部を出入孔から突出させることができるので、突起部を利用して機器ケースと化粧パネルとの装着を解除することができる。
【００９５】
請求項５記載の発明によれば、装着解除装置において、第１の磁石とともに突起部保持部材に配設される突起部を、その突起部が出入する出入孔を有するとともに第１の磁石に対し同じ極を対向させるよう配設された第２の磁石を有するカバー部材が収容しているので、その第１の磁石と第２の磁石とが磁力により反発する反発力に基づき、突起部保持部材とカバー部材の出入孔とが離間されることにより、突起部は出入孔からカバー部材の内部に収容される。よって、装着解除装置の未使用時に、突起部は収容部に収容される。
そして、装着解除装置を使用する際には、第１の磁石と第２の磁石の磁力による反発力に逆らうように、突起部保持部材をカバー部材の出入孔に近接させることにより、突起部を出入孔から突出させることができるので、突起部を利用して機器ケースと化粧パネルとの装着を解除することができる。
【００９６】
請求項６記載の発明によれば、装着解除装置において、所定の形状の弾性体からなる突起部保持部材に配設される突起部を、その突起部が出入する出入孔を有するカバー部材が収容しているので、その突起部保持部材を所定の形状から弾性変形することにより、突起部を出入孔からカバー部材の外部に突出させることができる。よって、突起部を利用して機器ケースと化粧パネルとの装着を解除することができる。
また、突起部保持部材を弾性変形させる作用力がなくなると、その突起部保持部材は所定の形状に戻るので、突起部は出入孔からカバー部材に収容されることとなって、装着解除装置の未使用時に、突起部は収容部に収容される。
【００９７】
請求項７記載の発明によれば、装着解除装置は、ストラップを介して電子機器に備えられているので、装着解除装置は電子機器から離れにくく、別個になりにくい。従って、装着解除装置を紛失する心配がなくなる。
このように、装着解除装置を電子機器に装備することにより、所望する際に化粧パネルを取り外して付け替えることができ、化粧パネルの交換を行いやすくなる。
【００９８】
請求項８記載の発明によれば、装着解除装置は、電子機器に装備されている付属部材に配設されて、電子機器に備えられているので、装着解除装置は電子機器から離れにくく、別個になりにくい。従って、装着解除装置を紛失する心配がなくなる。
このように、装着解除装置を電子機器に装備される付属部材に備えることにより、所望する際に化粧パネルを取り外して付け替えることができ、化粧パネルの交換を行いやすくなる。
【００９９】
請求項９記載の発明によれば、装着解除装置は、電子機器を操作するタッチペンに配設されているので、装着解除装置が電子機器に装備される。
【０１００】
請求項１０記載の発明によれば、装着解除装置は、電子機器のアンテナに配設されているので、装着解除装置が電子機器に装備される。
【０１０１】
請求項１１記載の発明によれば、装着解除装置は、電子機器のバッテリーカバーに配設されているので、装着解除装置が電子機器に装備される。
【０１０２】
請求項１２記載の発明によれば、装着解除装置は、電子機器を所定の位置に取り付けるためのベルトに配設されているので、装着解除装置が電子機器に装備される。
【０１０３】
請求項１３記載の発明によれば、電子機器は、機器ケースに交換可能に装着される化粧パネルをその機器ケースから取り外すために、機器ケースと化粧パネルとの装着を解除する装着解除手段を備えているので、所望する際に、電子機器の化粧パネルを取り外し、色やデザインなどが異なる他の化粧パネルに付け替えることができる。
【図面の簡単な説明】
【図１】本発明にかかる電子辞書を示す正面図である。
【図２】本発明にかかる電子辞書を示す背面図である。
【図３】図１の矢印ＩＩＩ方向からの電子辞書を示す側面図である。
【図４】電子辞書の上筐体から化粧パネルを取り外した状態を示す側面図である。
【図５】本発明にかかる第１の実施の形態における装着解除装置の斜視図である。
【図６】図５のＶＩ―ＶＩ線における断面図であり、突起部が収容されている状態（ａ）と、突起部が突出した状態（ｂ）を示すものである。
【図７】本発明にかかる第１の実施の形態における電子辞書の装着解除装置の第１の変形例を示す断面図であり、突起部が収容されている状態（ａ）と、突起部が突出した状態（ｂ）を示すものである。
【図８】本発明にかかる第１の実施の形態における電子辞書の装着解除装置の第２の変形例を示す斜視図である。
【図９】図８のＩＸ―ＩＸ線における断面図であり、突起部が収容されている状態（ａ）と、突起部が突出した状態（ｂ）を示すものである。
【図１０】本発明にかかる第１の実施の形態における電子辞書の装着解除装置の第３の変形例を示す一部破断断面図である。
【図１１】本発明にかかる第２の実施の形態における携帯電話機を示す平面図であり、通常の使用状態（ａ）と、化粧パネルとアンテナ先端部とが取り外された状態（ｂ）を示すものである。
【図１２】本発明にかかる第２の実施の形態における携帯電話機の第１の変形例を示す一部省略平面図であり、バッテリーカバーが取り付けられた状態（ａ）と、バッテリーカバーが取り外された状態（ｂ）を示すものである。
【図１３】本発明にかかる第２の実施の形態における携帯電話機の第２の変形例を示す一部省略平面図であり、バッテリーカバーが取り付けられた状態（ａ）と、バッテリーカバーが取り外された状態（ｂ）を示すものである。
【図１４】本発明にかかる第３の実施の形態における腕時計を示す平面図である。
【符号の説明】
１      化粧パネル
２      係合部
２ａ    パネル穴
３      ストラップ
１０、２０  装着解除装置
１１    突起部（装着解除手段）
１１ａ  先端部
１２、２２  収容部
１２ａ  出入孔
１２１  突起部保持部材
１２２  カバー部材
１２３  コイルばね（弾性部材）
１２３ａ  一端部
１２３ｂ  他端部
１３１  第１の磁石
１３２  第２の磁石
３０、４０  装着解除装置
３２、４２  収容部
３２ａ、４２ａ  出入孔
４４    コイルばね（弾性部材）
３２１  半球状部材（突起部保持部材）
３２２  カバー部材
５０    タッチペン（付属部材）
１１１、１１１１  突起部（装着解除手段）
１１１ａ、１１１１ａ  先端部
１００  電子辞書（電子機器）
１０１  上筐体（機器ケース）
５      化粧パネル
６      アンテナ（付属部材）
６６    アンテナ先端部（装着解除装置）
６６ａ  突起部（装着解除手段）
７      バッテリーカバー（付属部材）
７７    突起部（装着解除手段）
８      バッテリーカバー（付属部材）
８ａ    収容凹部（収容部）
８０    装着解除装置
８１    突起部（装着解除手段）
８１ａ  先端部
８２    コイルばね
２００、２１０、２２０  携帯電話機（電子機器）
２０１  上筐体（機器ケース）
２０２ｃ  収容凹部（収容部）
３００  腕時計（電子機器）
３０１  時計本体
３０１ａ  機器ケース
３０２  ベルト（付属部材）
３０３  ベゼル（化粧パネル）
９      ベルト金具（装着解除手段、突起部）
９ａ    先端部
【図１】
2004362508.tif 000003
【図２】
2004362508.tif 000004
【図３】
2004362508.tif 000005
【図４】
2004362508.tif 000006
【図５】
2004362508.tif 000007
【図６】
2004362508.tif 000008
【図７】
2004362508.tif 000009
【図８】
2004362508.tif 000010
【図９】
2004362508.tif 000011
【図１０】
2004362508.tif 000012
【図１１】
2004362508.tif 000013
【図１２】
2004362508.tif 000014
【図１３】
2004362508.tif 000015
【図１４】
2004362508.tif 000016